(57)【要約】  本発明は、患者を座らせ、３つのほぼ垂直な平面で大きい振幅にわたって動かす検診椅子（Ｆ）であって、第１回転軸（Ｘ）を構成する水平軸（１）によって固定柱（３）に連結した第１弧（５）を備え、前記第１弧（５）の第１および第２端部（ＥＸ１、ＥＸ２）を通過する、第１回転軸（Ｘ）にほぼ垂直な第２回転軸（Ｙ）が存在する検診椅子に関する。さらに、前記椅子（Ｆ）は、座部（１０）を備え、第１弧（５）の内側に配置され、かつ上部軸（２ａ）および下部軸（２ｂ）によって第３および第４端部（ＥＸ３、ＥＸ４）を介してそれぞれ第１および第２端部（ＥＸ１、ＥＸ２）に固定される第２弧（６）を含み、前記第１および第２弧（５、６）は、それぞれ第１および第２回転軸（Ｘ、Ｙ）を中心として回転運動を実行するのに適している。さらに、検診椅子（Ｆ）は前記回転運動を突然に停止させる制動手段を含む。
2007511265.tif 000002
【特許請求の範囲】
【請求項１】
患者を座らせ、３つのほぼ垂直な平面で大きい振幅にわたって動かす検診椅子（Ｆ）であって、第１回転軸（Ｘ）を構成する水平軸（１）によって固定柱（３）に連結した第１弧（５）を備え、前記第１弧（５）の第１および第２端部（ＥＸ１、ＥＸ２）を通過する、前記第１回転軸（Ｘ）にほぼ垂直である第２回転軸（Ｙ）が存在する検診椅子（Ｆ）であって、
座部（１０）を備え、前記第１弧（５）の内側に配置され、かつ上部軸（２ａ）および下部軸（２ｂ）によって第３および第４端部（ＥＸ３、ＥＸ４）を介してそれぞれ前記第１および第２端部（ＥＸ１、ＥＸ２）に固定される第２弧（６）を含み、前記第１および第２弧（５、６）は、それぞれ前記第１および第２回転軸（Ｘ、Ｙ）を中心として回転運動を実行するのに適しており、前記検診椅子（Ｆ）は、前記回転運動を突然に停止させる制動手段をさらに含むことを特徴とする検診椅子（Ｆ）。
【請求項２】
前記第１弧（５）を前記第１回転軸（Ｘ）を中心として回転させる第１モーターを含むことを特徴とする請求項１に記載の検診椅子。
【請求項３】
前記第２弧（６）を前記第２回転軸（Ｙ）を中心として回転させる第２モーターを含むことを特徴とする先行する請求項のいずれか一項に記載の検診椅子。
【請求項４】
前記制動手段が、前記第１弧（５）が突然に停止されることを可能にする前記第１モーターを含むことを特徴とする請求項２に記載の検診椅子。
【請求項５】
前記制動手段が、前記第２弧（６）が突然に停止されることを可能にする前記第２モーターを含むことを特徴とする請求項３に記載の検診椅子。
【請求項６】
前記制動手段が、前記第１弧（５）を停止させる第１制動機を含むことを特徴とする請求項１〜３のいずれか一項に記載の検診椅子。
【請求項７】
前記制動手段が、前記第２弧（６）を停止させる第２制動機を含むことを特徴とする請求項１〜３のいずれか一項に記載の検診椅子。
【請求項８】
前記制動手段が、前記第１弧（５）を前記固定柱（３）に対して突然に停止させる第１機械当接部（Ｂ１）を少なくとも含むことを特徴とする請求項１〜３のいずれか一項に記載の検診椅子。
【請求項９】
前記固定柱（３）の１つの側面に配置した前記第１機械当接部（Ｂ１）が、リング（Ｂ１’’）およびダンパー（Ｂ１’）を備え、前記リング（Ｂ１’’）は、前記第１弧（５）に配置した止め手段（Ｂ１０）の歯と協働することを特徴とする請求項８に記載の検診椅子。
【請求項１０】
前記制動手段が、前記第２弧（６）を前記第１弧（５）に対して突然に停止させる第２機械当接部（Ｂ２）を含むことを特徴とする請求項１〜３のいずれか一項に記載の検診椅子。
【請求項１１】
前記第２機械当接部（Ｂ２）が、前記第１弧（５）の前記第１端部（ＥＸ１）に配置した、少なくとも１つのフック（Ｂ２２）および少なくとも１つのダンパー（Ｂ２１）を備え、前記フック（Ｂ２２）は、前記第２弧（６）の前記第３端部（ＥＸ３）に配置した停止手段（Ｂ２３）と協働することを特徴とする請求項１０に記載の検診椅子。
【請求項１２】
前記停止手段（Ｂ２３）が引き込み可能であることを特徴とする請求項１１に記載の検診椅子。
【請求項１３】
前記第２回転軸（Ｙ）に沿った前記座部（１０）の位置が、調整可能であることを特徴とする先行する請求項のいずれか一項に記載の検診椅子。
【請求項１４】
前記第２回転軸（Ｙ）に沿って移動して調整可能である、シートバック（８）を含むことを特徴とする先行する請求項のいずれか一項に記載の検診椅子。
【請求項１５】
前記第２回転軸（Ｙ）に沿って移動して調整可能である、少なくとも１つの足載せ台（９）を含むことを特徴とする先行する請求項のいずれか一項に記載の検診椅子。
【請求項１６】
前記足載せ台（９）の前記第２回転軸（Ｙ）に対する傾斜角度が、調整可能であることを特徴とする請求項１５に記載の検診椅子。
【請求項１７】
傾斜させることが可能であり、かつ前記第１および第２回転軸（ＸおよびＹ）に沿って移動して調整可能である、ヘッドレスト（７）を含むことを特徴とする先行する請求項のいずれか一項に記載の検診椅子。
【請求項１８】
患者拘束手段（３１、３２、３３、３４）を含むことを特徴とする先行する請求項のいずれか一項に記載の検診椅子。
【請求項１９】
前記第１弧（５）を前記固定柱（３）に対してロックする、第１ロッキング手段（５０）を含むことを特徴とする先行する請求項のいずれか一項に記載の検診椅子。
【請求項２０】
前記第２弧（６）を前記第１弧（５）に対して複数の位置にロックする、第２ロッキング手段（６０）を含むことを特徴とする先行する請求項のいずれか一項に記載の検診椅子。
【請求項２１】
少なくとも２つの位置センサーを含むことを特徴とする先行する請求項のいずれか一項に記載の検診椅子。
【請求項２２】
少なくとも２つの運動センサーを含むことを特徴とする先行する請求項のいずれか一項に記載の検診椅子。
【請求項２３】
ビデオニスタグモスコープ装置を含むことを特徴とする先行する請求項のいずれか一項に記載の検診椅子。
【請求項２４】
制御・管理要素を含むことを特徴とする先行する請求項のいずれか一項に記載の検診椅子。
【請求項２５】
前記第１弧（５）が、それの凸部分の中央を介して前記水平軸（１）に連結されることを特徴とする先行する請求項のいずれか一項に記載の検診椅子。
【請求項２６】
頭位目眩症を治療するための請求項１〜２５のいずれか一項に記載の検診椅子（Ｆ）の使用。
【発明の詳細な説明】
【技術分野】
【０００１】
本発明は、特に、医師が頭位目眩症を治療できるようにするのに役立つ検診椅子に関する。従って、検診椅子は座っている人が多方向モードで、かつ大きい振幅にわたって動かされるのを可能にし、これはかかる目眩に対処するのに有用である。
【背景技術】
【０００２】
人の内耳は、脳が、３つのほぼ垂直な平面に置かれる三半規管によって、人が受ける運動を認識するのを可能にする。さらに、内耳の前庭器官は脳に加速／減速・現象を知らせる部分を含み、前記部分は、当業者に「耳石」として知られる小さい結晶によって重くされたゼラチン状の塊から部分的に成る。そういうわけで、頭位目眩症は間違った運動知覚につながる次の現象によって引き起こされ得る。
・分離して半規管の非常に敏感な部分である蝸牛項へ移動する耳石によって引き起こされるキュポロリシアシス、または
・分離して半規管内を動き回る耳石によって引き起こされるカナロリシアシス。
【０００３】
診断を行う際、医師は、ゆっくりと患者の胴体および頭部を１８０°まで３つの平面で、すなわち、正面から背面へ、片側から他の側へ側面に沿って、そして体の軸を中心として回転させて動かす。
【０００４】
頭位目眩症が診察された場合は、医師は患者の胴体および頭部を所与の平面で急速に動かし、続いて突然に減速する。このようにして、目眩を起こす耳石は敏感な部分から放出され、目眩は１〜３回のセッションで概ね治る。
【０００５】
席に着いている患者を回すことができる垂直軸を中心とする移動性を呈する検診椅子が知られている。患者を腹臥位にするために椅子の背面を傾けることも可能であり、通常電気的に制御されるラック装置を用いて、あるいは場合により足踏み制御の油圧装置によって、椅子をその台に対して上昇させることも可能である。この種の椅子の移動性はほとんどの検診に対してだいたい十分である。しかしながら、移動は単一の平面のみで可能であり、かつ操作もまた患者および医師の両方とも疲労させるので、頭位目眩症を診断および治療に関連する操作を全て実行することはできない。
【０００６】
文献ＦＲ  １  １１３  ８０９はリハビリテーションおよび反射神経検診の装置を開示し、該装置は、好ましくは複数の運動自由度を有する振動支持体を含み、患者自身の重心を動かすことによって支持体の振動を減衰または増幅させることができるように、患者は該装置上に置かれる。
【発明の開示】
【発明が解決しようとする課題】
【０００７】
同文献は目眩を治療する技術分野とは関係が薄い。記載されている装置の目的は、障害者の反射神経を活性化することであり、頭位目眩症の原因となる内耳の耳石を動かすことではない。さらに、急速に動かし、続いて突然に減速することを決して可能にするものではない。
【０００８】
従って、頭位目眩症を診察、治療するのに関連する操作は、知られている型の装置を用いて満足のいくように実行することができない。
【０００９】
従って、かかる操作は検診台で通常実行され、それらは大きい物理的強度と、医師側の専門知識とに加え、患者側の多大な協力を必要とする。残念なことに、これは関節症、肥満症、障害、または高度の不安神経症を患う患者の場合には達成できず、このため該患者は治療するのが特に困難であり、それは治療の失敗の原因となり得る。
【００１０】
さらに、診療所で検診台と検診椅子の両方とも利用できるようにする必要性が、必要となるスペースの大きさ、それと診療所を整備するのに内在するコストを著しく増大させる。
【００１１】
本発明の目的は、患者が３つの垂直な平面で、迅速に、１８０°以上まで、大きい振幅にわたって動かされるのを可能にする一方で、運動の終わりに突然の減衰を達成することも可能にする検診椅子を提供することである。
【課題を解決するための手段】
【００１２】
本発明によれば、患者を座らせ、３つのほぼ垂直な平面で大きい振幅にわたって動かす検診椅子が、第１回転軸を構成する水平軸によって固定柱に連結した第１弧を備え、前記第１弧の第１および第２端部を通過する、第１回転軸にほぼ垂直な第２回転軸が存在する。さらに、検診椅子は、座部を備え、第１弧の内側に配置され、かつ第２回転軸上にある、上部軸および下部軸によって第３および第４端部を介してそれぞれ第１および第２端部に取り付けられる第２弧を含み、第１および第２弧はそれぞれ第１および第２回転軸を中心として回転運動を実行するのに適している。本発明は、回転運動を突然に停止させる制動手段を含むという点で特に注目に値する。
【００１３】
第１弧はその凸部分の中央を介して水平軸に連結されるのが有利である。
【００１４】
従って、医師は座部に置かれた患者を、患者自身の体の軸を中心として回転させ、片側から他の側へ側面に沿って、そして正面から背面へ動かすことができる。さらに、制動手段は、どんな厄介な耳石でも放出するのに役立つ、突然の減速を発生させることができる。
【００１５】
その上、検診椅子の患者は全体として動かされるので、患者の移動性または協力の欠如と関係があるかもしれない、いかなる問題も排除される。このようにして患者の快適さが増進され、そして実行される操作は最適化され、従ってより効果的である。
【００１６】
第１弧および／または第２弧を動かすために、医師によって加えられる必要がある力の大きさを最小にするために、センタリングが正確であること、すなわち患者の重心が第１および第２回転軸の交点に出来るだけ近いことが必須である。このために、固定柱の水平軸の垂直位置は例えばラックおよびスライダー装置を用いて調整可能である。全く同様に、第２弧は、センタリング調整に関与するために下部および／または上部軸に作用する従来の手段を用いて、第１回転軸に対して動かされ得る。
【００１７】
同じように、第２回転軸に沿った座部の位置が、例えば油圧または電気による第１アクチュエータを用いて調整可能である。
【００１８】
本発明の検診座部は、第１弧を第１回転軸を中心として、そして第２弧を第２回転軸を中心としてそれぞれ回す、第１および第２モーターを有するのが有利である。この結果、医師は患者を動かすためにもはや力を出す必要がなく、従って必然的に医師の作業はより楽になる。
【００１９】
完全に電動式である第１実施形態では、制動手段は第１および第２モーターを備える。これらの第１および第２モーターは大きいステップダウン歯数比を有するので、突然に停止が可能であり、従って制動手段の所要機能を実行できる。
【００２０】
第２実施形態では、制動手段は第１弧を突然に停止させる第１制動機を備え、該制動機は油圧式または電気式であってもよく、例えば動力を供給せずに制動する。同様に、制動手段は第２弧を突然に停止させる第２制動機を備え、該第２制動機は油圧式または電気式であってもよい。
【００２１】
第３実施形態では、制動手段は、少なくとも、第１弧を突然に停止させる第１機械当接部を備える。
【００２２】
固定柱の側面に置かれた、この第１機械当接部はリングおよびダンパーを備える。第１弧の運動の終わりに、その止め手段の歯が第１弧を阻止するようにリングと協働し、そのときダンパーは停止点の機能を果たす。
【００２３】
同様に、制動手段は前記第２弧を突然に停止させる第２機械当接部を備える。
【００２４】
この第２機械当接部は、第１弧の第１端部に配置した、少なくとも１つのフックおよび少なくとも１つのダンパーを備える。第２弧の運動の終わりに、フックは第２弧を阻止するために第２弧の第３端部に置かれた停止手段と協働し、そのときダンパーは停止点の機能を果たす。
【００２５】
そのとき第２弧は第２回転軸を中心としてほぼ３６０°まで回ることができる。しかし、いくつかの操作は患者を数回回転させることに存するので、停止手段は引き込み可能であるのが有利である。
【００２６】
また、患者を快適にするために、第２弧は、座部に取り付けた、少なくとも１つの足載せ台を備える。座部および足載せ台を備えるアセンブリの第２回転軸に沿った位置が、第１アクチュエータを用いて、このようにして調整可能である。さらに、足載せ台の第２回転軸に対する傾斜角度もまた調整可能である。
【００２７】
同様に、第２弧は、第２回転軸に沿って高さが調整可能であり、かつ足載せ台・座部アセンブリに固定されるか、あるいは、例えば第２アクチュエータによって個別に調整可能である、シートバックを備える。
【００２８】
同様に、検診椅子は、例えば第３アクチュエータ、制御ノブ、およびインデックスフィンガを用いて、第１および第２回転軸に沿って移動して傾けられ、調整され得るヘッドレストを含むことが好ましい。
【００２９】
さらに、患者を動かす必要があるので、検診椅子は、頭部、胴体、骨盤、および下肢、具体的にいえば足によって患者を検診椅子に保持するのに適した、少なくとも１つの拘束手段を備える。
【００３０】
一例として、これらの拘束手段は、調整可能なアームレスト、肩、ヘッドバンド、ストラップ、ハンドル、およびハーネスを含む。
【００３１】
コンピュータ化された変形体では、検診椅子は少なくとも２つの位置センサーおよび少なくとも２つの運動センサーを備え、各型のセンサーが第１弧および第２弧に配置され、例えば、センサーは検診椅子を制御する制御・管理要素に接続され、該要素は表示画面を備える。
【００３２】
位置センサーは、センタリングが正しく実行されたかどうかを確認する機能を果たす。運動センサーは、角速度および加速度、それと達成された全角変位を測定する機能を果たす。
【００３３】
そのとき、操作は、検診椅子がモーター駆動される場合に、センサーによって提供される情報に特に基づいて、第１および第２モーターを制御する、制御・管理要素によって完全に支援される。さらに、検診椅子が第１および第２制動機を備える場合は、これらの制動機は制御・管理要素によって制御され得る。
【００３４】
従って医師は、頭位目眩症を治療する目的で患者を動かし、付与運動を突然に停止させるために、本発明を用いることができる。医師の診療室に占めるスペースの大きさを制限するために、本発明の検診椅子はまた、装置の他の既存のアイテムの機能を実行できなければならない。
【００３５】
従って、これは、第１弧が複数の位置で固定柱に対して動くのを防止する第１ロッキング手段と、第２弧が複数の位置で第１弧に対して動くのを防止する第２ロッキング手段と、を含む。
【００３６】
さらに、検診椅子は、体がさまざまに動くときに起きる、当業者に「眼振」として知られている眼の反射変位を画面に表示するために、患者の眼を赤外光の下で検査するビデオニスタグモスコープ装置を含む。任意に、このカメラ装置は、有線または無線で、例えば高周波伝送を用いて、制御・管理要素に接続されることがあり、そのとき該要素は眼振を分析するデバイスを備える。
【発明を実施するための最良の形態】
【００３７】
本発明およびその利点は、制限する特徴無しに示され、かつ添付図面を参照しながら説明される、好ましい実施形態に関する次の説明によってさらに詳細になる。
【００３８】
複数の別の図にある要素には、それらの各々に同じ参照記号が付されている。
【００３９】
図１は本発明の検診椅子Ｆの側面図である。
【００４０】
検診椅子Ｆは全体として水平軸１によって固定柱３に取り付けられる。この固定柱３は、床の上にあり、かつ実行される運動および患者の重量に関係なく検診椅子Ｆの転倒を防止するために重量が重い、台４上に配置される。
【００４１】
もちろん、固定柱を固定するその他の方式、例えば壁取付けが想定され得る。
【００４２】
第１弧５はその凸部分の中央を介して水平軸１に固定され、第１回転軸Ｘを中心として回転運動することができる。
【００４３】
第１弧５の垂直位置は最適化センタリングを達成するために任意に調整可能である。固定柱３はあるいは伸縮自在であることがある。同様に、第１弧５および／または固定柱３は、ラックおよびスライダー装置、またはその他の同等の調整装置を含むことがある。
【００４４】
第２弧６は第１弧５よりもわずかに短く、かつその中に受け入れられ、第１弧の第１および第２端部ＥＸ１およびＥＸ２と交差する第２回転軸Ｙに配置した、上部および下部軸２ａおよび２ｂに固定される。従って、上部および下部軸２ａおよび２ｂは、第１端部ＥＸ１を第２弧の第３端部ＥＸ３に、そして第２端部ＥＸ２を第２弧の第４端部ＥＸ４にそれぞれ連結する役割を担う。
【００４５】
この結果、第２弧６は第２回転軸Ｙを中心として回転運動することができる。
【００４６】
検診椅子Ｆは、第２弧６に固定した２つのロッドТに配置され、かつ少なくとも１つの足載せ台９および座部１０を担持する枠２０を備える。第４端部ＥＸ４にある第１アクチュエータ２１により、座部１０および足載せ台９の位置を第２回転軸Ｙに沿って調整することが可能となる。
【００４７】
同様に、第２弧６はシートバック８を含む。シートバックの位置は、シートバック８が枠２０に固定される場合には第１アクチュエータからの駆動を受けて、またはバックが枠２０から独立している場合には電気式の第２アクチュエータを用いて、ロッドТに沿って滑動し、第２回転軸Ｙに沿って移動して任意に調整可能としてもよい。
【００４８】
さらに、足載せ台９の第２回転軸Ｙに対する傾斜角度は調整可能である。このため、足載せ台は複数の穴О１を備え、フィンガＤ１が足載せ台９を正確な位置にブロックするために穴О１の１つに係合する。
【００４９】
検診椅子Ｆはまた、傾斜角度ならびに第１および第２回転軸ＸおよびＹに沿った位置が調整可能であるヘッドレスト７を備える。このために、枠２０に固定した第３アクチュエータ２２が、第２回転軸Ｙに沿ってヘッドレスト７の位置を調整するのに役立つ。同様に、インデックスフィンガＤ２が第１回転軸Ｘに沿ってヘッドレスト７の位置を調整し、ホイールＭ１が従来の手段によってヘッドレストの傾斜角度を調整する。
【００５０】
その結果、足載せ台９、座部１０、シートバック８、およびヘッドレスト７全てが、それらを各患者のサイズおよび解剖学的構造に適合させるのに十分である調整の程度を呈する。
【００５１】
さらに、患者は動かされるので、患者は、具体的にいえば、アームレスト３１、肩３２、パッド入りのヘッドバンド３３、引き込み可能なハンドル３４、図１に示さない、ハーネス、および下肢を保持するストラップを含む拘束手段によって、検診椅子Ｆに固定される必要がある。
【００５２】
アームレスト３１および肩３２は、第１および第２ハンドルＭ２およびＭ３をそれぞれ用いて作動する従来の手段による駆動を受けて自由に横方向に動くことができるので、患者の解剖学的構造に適合され得る。
【００５３】
同様に、ヘッドバンド３３の第１回転軸Ｘに沿った位置が、従来の手段を用いて調整可能である。
【００５４】
また、検診椅子Ｆが従来の椅子として使用され得ることを確かにするために、第１弧５および／または第２弧６のいかなる回転運動も防止できることが必要である。
【００５５】
従って、検診椅子は、第１弧５および第２弧６のためにそれぞれ第１および第２ロッキング手段５０および６０を備える。
【００５６】
一例として、第１ロッキング手段５０は、第１弧５の第２端部ＥＸ２の下に配置した穴を有するプレート５１を備える。ハンドル５３によって動かされたフィンガ５２が、プレート５１の穴に挿入されることによって第１弧５をロックする。
【００５７】
第２ロッキング手段６０は、例えば、第２弧６の第３端部ＥＸ３に固定したフィンガ６１によって構成され、それは第１弧の第１端部ＥＸ１の穴６２に手動で挿入される。第１端部ＥＸ１は、第２弧６が複数の位置にロックされるのを可能にするように、複数の穴６２を有するのが有利である。さらに、第２ロッキング手段６０は二重にされて、同様に第２および第４端部ＥＸ２およびＥＸ４に設置される。
【００５８】
医師は、例えば、ハンドルを用いて手動で、または第１および第２モーター（図示せず）を用いて、第１および第２弧５および６を第１および第２回転軸ＸおよびＹを中心としてそれぞれ回すことができる。検診椅子Ｆを回転運動の終わりに突然に停止させるために、検診椅子Ｆは制動手段を含む。
【００５９】
第１実施形態（図１に示さず）では、制動手段は大きいステップダウン歯数比を有する第１および第２モーターを備え、該歯数比はそれらが瞬時に停止させられるのを可能にする。
【００６０】
第２実施形態（図１に示さず）では、制動手段は、水平、上部、および／または下部軸１、２ａ、および／または２ｂが突然に停止させられるのを可能にし、それによって第１および／または第２弧５および／または６のいかなる回転運動も停止させられるのを可能にする、油圧または電気制動機を備える。
【００６１】
図１を参照して、第３実施形態では、制動手段は、第１および第２弧５および６が回転運動の終わりに動くのを防止するために、それぞれ第１および第２機械当接部Ｂ１およびＢ２を備える。
【００６２】
第１機械当接部Ｂ１は柱３の少なくとも１つの側面に、好ましくはその両側面に配置される。これはダンパーＢ１’およびリングＢ１’’を備える。第１弧５に配置され、歯付きプレートＢ１０’’および停止プレートＢ１０’を備える止め手段Ｂ１０が、第１機械当接部Ｂ１と協働して、第１弧をその迅速な回転運動の終わりに突然に停止させる。この結果、停止プレートＢ１０’はダンパーＢ１’によって突然にブロックされ、そのときリングＢ１’’は歯付きプレートＢ１０’’の歯によって動かないようにされる。すると第１弧５の迅速な運動は突然に停止し、それによって強い減速を生じる。
【００６３】
第１機械当接部の図１に示す配置によって、第１弧は、第１回転軸Ｘを中心として１８０°の振幅、もっと正確に言えば、垂直に対して−９０°〜＋９０°の振幅まで回転運動することができる。しかし、機械当接部Ｂ１を異なって配置することによって、他の振幅を想定することが可能である。
【００６４】
第２機械当接部Ｂ２は第１弧５の第１端部ＥＸ１に配置される。これは少なくとも１つのダンパーＢ２１および少なくとも１つのフックＢ２２を備える。第２弧６の第２回転軸Ｙを中心とした迅速な回転運動の終わりに、第３端部ＥＸ３に配置したプレートＢ２３を備える停止手段が第２当接部Ｂ２と協働する。従ってプレートＢ２３はダンパーＢ２２によって停止させられ、フックＢ２２によって動かないようにされて、この位置にブロックされたままとなる。
【００６５】
図２は、第２機械当接部を詳細に示す、第１および第３端部の下から見た図である。
第２弧６は時計回り方向および反時計回り方向に回ることができるので、第２機械当接部は２つのダンパーＢ２１および２つのフックＢ２２を有する。
【００６６】
図２はまた、第２弧６が所定の位置にロックされるのを可能にする、フィンガ６１および穴６２を示す。
【００６７】
図３，４、および５は、どのようにして患者が３つの垂直な平面で動かされ得るかを示す。
【００６８】
図３を参照して、第２弧６は、患者Ｐの背中が水平軸１の方へ向けられるように静止して保持される。第１弧を軸Ｘを中心として回すことによって、患者は全体として横に一方の側から他の側へ動かされる。矢印Ｆ１は患者の左側から患者の右側の方へ動かされる患者に適用する。
【００６９】
図４を参照して、第２弧６は９０°まで回され、そしてこの位置にロックされる。第１弧を軸Ｘを中心として回すことによって、患者は全体として正面から背面へ動かされる。
【００７０】
図５を参照して、第１弧５は垂直位置にロックされる。第２弧を軸Ｙを中心として回すことによって、患者は全体として患者の胴体および頭部の軸を中心として動かされる。
【００７１】
上述の運動を実行し、瞬間制動手段を利用して運動を突然に停止させることによって、
医師は頭位目眩症を治療できる。
【００７２】
ある種の目眩症を呈する患者の場合は、検診椅子Ｆは特定の診断および治療操作を実行するために上に述べたように特に良く適合されて、患者が全体として３つの垂直な平面で動かされることを可能にし、従って医師が与える物理的力を軽減し、該当する患者の快適さを増進させる。検診椅子は、主として、耳鼻咽喉科または物理療法を専門とする医者による使用のためであるが、この種の目眩病状を治療しようと努める、あらゆる有資格医師によっても使用され得る。
【００７３】
もちろん、本発明はいろいろな方法で実施され得る。全ての可能な実施例を徹底的に確認することは考えられないことが理解される。記載した手段のどれもが、本発明の範囲を超えることなく、同等の手段によって置き換えられ得る。
【図面の簡単な説明】
【００７４】
【図１】本発明の検診椅子の側面図である。
【図２】第２機械当接部を下から見た図である。
【図３】検診椅子の動作モードを説明する図である。
【図４】検診椅子の動作モードを説明する図である。
【図５】検診椅子の動作モードを説明する図である。
【図１】
2007511265.tif 000003
【図２】
2007511265.tif 000004
【図３】
2007511265.tif 000005
【図４】
2007511265.tif 000006
【図５】
2007511265.tif 000007
【国際調査報告】
2007511265.tif 000008
2007511265.tif 000009
2007511265.tif 000010
2007511265.tif 000011
2007511265.tif 000012
2007511265.tif 000013
2007511265.tif 000014
2007511265.tif 000015